(57)【特許請求の範囲】
【請求項１】
固定のステージの上流側に配置された感光材料送出し手段から感光材料を送りだし、ステージの下流側に配置された感光材料巻取り手段に巻取らせて前記ステージの上に感光材料を供給し、該感光材料に画像を露光し、受像材料を重ね合わせて熱現像転写を行い、該受像材料を剥離して受像材料の上に画像を得る画像記録方法において、
連続画像記録の場合には、前の熱現像転写を行った後、前記感光材料巻取り手段で感光材料を巻取り、前記ステージの上から感光材料の露光済み部分を退避させ受像材料を剥離すると共に、ステージの上に感光材料の未露光部分を位置させ、連続して次の露光及び熱現像転写を行い、
一画像記録の場合には、一画像の熱現像転写を行った後、前記感光材料巻取り手段で感光材料を巻取り受像材料を剥離し、前記感光材料送出し手段で感光材料を巻き戻してステージの上に感光材料の露光および熱現像転写済み部分を位置させて待機する、
ことを特徴とする画像記録方法。
【発明の詳細な説明】
【０００１】
【発明の属する技術分野】
本発明は、原稿の画像を感光材料に露光し、感光材料と受像材料とを重ね合わせて熱現像転写して受像材料に画像を得る画像記録方法に関する。
【０００２】
【従来の技術】
画像記録方法には、感光材料に画像を露光し、画像が露光された感光材料に受像材料を重ね合わせて熱現像転写し、受像材料に画像を得るものがある。
【０００３】
従来の画像記録方法としては、例えば、連続したロール状の感光材料を、画像が形成される長さだけ露光ステージへ順次送り出して露光するようになっているものがある。
【０００４】
しかしながら、感光材料の未露光部分を露光ステージに長時間待機させておくと、感光材料にかぶりが発生する恐れがある。
【０００５】
これに対処するため、感光材料の未露光部分を、露光ステージから無条件に退避させて待機させると、次の露光処理に時間が掛かってしまう。
【０００６】
【発明が解決しようとする課題】
【０００７】
本発明は上記事情を考慮し、連続画像記録か一画像記録かによって、操作方法を変え、処理時間が短縮できる画像記録方法を提供することを目的とする。
【０００８】
【課題を解決するための手段】
本発明では、連続画像記録か一画像記録かによって、操作方法を変えている。
【０００９】
例えば、連続画像記録の場合には、感光材料送出し手段から感光材料をステージへ送りだし、感光材料の下流側を感光材料巻取り手段に巻取らせ、ステージの上に感光材料を供給する。
【００１０】
次に、感光材料に画像を露光し、受像材料を重ね合わせて熱現像転写を行う。次に、感光材料巻取り手段で感光材料を巻取り、ステージの上から感光材料の露光済み部分を退避させながら、感光材料から受像材料を剥離して排出すると共に、ステージの上に感光材料の未露光部分を位置させる。
【００１１】
このように、ステージの上に未露光の感光材料を位置させることで、受像材料を剥離後、そのまま次の画像を感光材料に露光して熱現像転写を行うことができる。従って、複写速度が上がる。
【００１２】
また、一画像記録の場合は、一画像の熱現像転写を行った後、感光材料巻取り手段で感光材料を巻取り受像材料を剥離し、次に、感光材料送り出し手段で感光材料を巻き戻してステージの上に感光材料の露光および熱現像転写済み部分を位置させて待機させる。
【００１３】
また、次の画像記録を行う場合は、感光材料送出し手段から感光材料をステージへ送りだし、感光材料の下流側を感光材料巻取り手段に巻取らせ、ステージの上に未露光の感光材料を供給する。
【００１４】
このように、位置画像記録の場合には、露光および熱転写現像済みの感光材料がステージ状に位置し、未露光の感光材料は感光材料巻出し手段に巻き戻されているので、感光材料のカブリが防止され、また、熱による悪影響も避けることができる。
【００１５】
【発明の実施の形態】
以下、本発明に係る画像記録方法が用いられる装置を図１乃至図１０に基づき説明する。
【００１６】
図１に示すように、基台１０内の中央部に、ステージ１２が設けられている。ステージ１２は、平板状とされて水平に配される。具体的には、ステージ１２は、図２に示すように、上面側のアルミニウム板１４と、中間のヒート板１５、及び下面側のステンレス板１６との３層構造とされている。
【００１７】
シート板１５は、例えば３枚のシート板（加熱手段）１８を並べ、通電することによりステージ１２上面を全面に渡って、例えば、８０°Ｃに加熱することができる。ステージ１２の大きさは任意であるが、例えば、Ａ６サイズに対応する大きさが望ましい。
【００１８】
ステージ１２の前端側（図１で右端側）には、下方に第１ローラ２０が設けられ、第１ローラ２０には、感光材料としての熱現像感光材料２２（以下、感光材料２２とする）が巻き取られてロール状に収容される。感光材料２２は、支持体上に感光性ハロゲン化銀、バインダー、色素供与性物質、還元剤を有した感光面を備え、後述するように感光材料２２が第１ローラ２０から引き出されてステージ１２上で水平に保持された状態では、感光面が上を向く。
【００１９】
ステージ１２の下方には、上記第１ローラ２０と近接して第２ローラ２４が設けられている。第２ローラ２４には、第１ローラ２０から引き出されてステージ１２の前端から後端（図１で左端）へ掛け渡される感光材料２２が巻き取られる。ステージ１２の前端と第１ローラ２０との間には、ニップローラ２６が配置されている。ニップローラ２６を矢印Ａの向きに回転駆動し、第２ローラ２４を矢印Ｂの向きに回転駆動すれば、感光材料２２は、第１ローラ２０の矢印Ｃの向きの回転に伴い第１ローラ２０から引き出され、ステージ１２上を矢印Ｄの向きに（ステージ１２の前端から後端へ向けて）移動し、第２ローラ２４に引っ張られて巻き取られる。逆に、第１ローラ２０を矢印Ｃの向きと反対の向きに回転駆動し、ニップローラ２６を矢印Ａと反対の向きに回転駆動すれば、感光材料２２は、ステージ１２上を矢印Ｄと反対の向きの矢印Ｅの向きに移動し、第２ローラ２４の矢印Ｂと反対の向きの回転に伴い第２ローラ２４から第１ローラ２０へ巻き戻される。
【００２０】
これにより、感光材料２２を第１ローラ２０からステージ１２上へ所定長さ引き出し、第２ローラ２４へ巻き取ることができるとともに、逆に、所定長さ第１ローラ２０へ巻き戻すことができる。
【００２１】
ステージ１２は、図３に示すように、上面が水平面とされた平面部２８と、ステージ１２の前後端部で上面が下方へ傾斜された傾斜部３０、３１とを備える。後述する露光等にあたって、所定長さの感光材料２２が平面部２８に位置するようにされるとともに、所定長さの感光材料２２が平面部２８に沿って平面を維持して緩むことなく、傾斜部３０、３１に沿って引っ張られてステージ１２上に保持される。
【００２２】
図１に示すステージ１２の上方にはステージ１２と対向して原稿台３２が基台上面１１に嵌められている。原稿台３２は透明板で形成され、原稿台３２上には原稿３４が載置保持される。
【００２３】
また、ステージ１２の後ろには、露光ユニット３８、塗布ユニット４０、重合ユニット４２が配設されている。これらの露光ユニット３８、塗布ユニット４０、重合ユニット４２は、ステージ１２の前後に設けられた行止位置と待機位置の間を往復移動できるようになっている。
【００２４】
露光ユニット３８は、光源４４、セルフォックレンズ（レンズアレイ）４６を備える。光源４４はＬＥＤやハロゲンランプ等が可能であり、光源４４からの光は、原稿３４へ向けて照射されるとともに、照射光は、原稿３４と平行で露光ユニット３８の移動方向（ステージ１２の前後方向）と直角の方向、図１の紙面の表裏方向に沿って直線状となるようにされる。照射光は原稿３４で反射されて反射光がセルフォックレンズ４６によって感光材料２２をスリット状に露光する。露光ユニット３８が待機位置から行止位置へ向けて前進することにより、原稿３４の画像が感光材料２２に順次に走査露光される。
【００２５】
図３に示すように、露光領域（画像領域）４８は、感光材料２２の所定長さの範囲内において、前後に非露光領域（非画像領域）をそれぞれ形成するように中央に設定される。ステージ１２の後端側の非画像領域を後領域５１とし、ステージ１２の前端側の非画像領域を前領域５０とする。
【００２６】
塗布ユニット４０は、タンク（容器）５２の底にスポンジ（塗布部）５４を備えて構成される。タンク５２は、感光材料２２と平行でステージ１２の前後方向と直角の方向に長尺な矩形箱状とされている。
【００２７】
図５に示すように、タンク５２の底は蓋５６で、Ｏリング５７を介して閉じられ、タンク５２内が密閉されている。タンク５２内には、水等の転写助剤（画像形成用溶媒）５８が封入される。スポンジ５４は蓋５６の下面に固着され、蓋５６には、タンク５２内と連通する連通口６０が形成される。連通口６０を通って、タンク５２内の水がスポンジ５４に吸収保持される。タンク５２の長手方向両端には段差６２が形成されている。この段差６２と対向するようにタンク５２の上端には支持片６４がボルト６６で止められて突出している。支持片６４と段差６２との間には、係止軸６８が上下方向に掛け渡され、係止軸６８には作動ブロック７０の一端部が嵌合するとともに、作動ブロック７０と段差６２との間にはコイルスプリング７２が嵌合している。
【００２８】
コイルスプリング７２は、作動ブロック７０を支持片６４と当接すべく付勢する。作動ブロック７０の他端部には、図示を省略するソレノイドのプランジャが連結されて、ソレノイドによって作動ブロック７０を容器５２と共に昇降駆動させる。作動ブロック７０の上昇位置では、スポンジ５４は感光材料２２と離間している。作動ブロック７０の上昇位置におけるスポンジ５４と感光材料２２との間の間隔より、作動ブロック７０の下降量が大きく、作動ブロック７０の下降位置では、スポンジ５４は、コイルスプリング７２の付勢力によって感光材料２２に押し付けられて接触する。スポンジ５４が感光材料２２と接触すると、スポンジ５４に吸収保持されている水が感光材料２２へ流出する。
【００２９】
スポンジ５４が感光材料２２と接触した状態で塗布ユニット４０が前進することにより、感光材料２２に水が順次に塗布される。
【００３０】
重合ユニット４２は、マガジン７６を備え、マガジン７６には、受像材料７８が所定長さに切断されて、重ねられてステージ１２と平行に収容されている。受像材料７８の一方の面は画像形成面とされて画像形成面には、媒染剤を有する色素固定材料が塗布されており、受像材料７８の収納状態では、画像形成面が上を向くようにされる。マガジン７６の下側には、無端ベルト８０がローラ８２、８４に掛け渡されている。重合ユニット４２の待機位置でステージ１２側にあるローラ８４の外周には、案内部８１が設けられている。
【００３１】
重合ユニット４２が前進するのに伴い、無端ベルト８０は図１で時計回りに走行し、ステージ１２上に到る。図６に示すように、無端ベルト８０の走行に伴い、マガジン７６内にある受像材料７８が、案内部８１によって、マガジン７６から引き出され、受像材料７８は反転してその引き出し端が感光材料２２と当接し、それ以降は、重合ユニット４２の移動に伴い、受像材料７８が無端ベルト８０と感光材料２２との間に挟持され、ステージ１２前端へ向けて感光材料２２と重ね合わされる。
【００３２】
感光材料２２に塗布された水５８は感光材料２２に膨潤される。この膨潤に要する時間を確保するように、重合ユニット４２は、塗布ユニット４０と間隔をおいて前進する。膨潤後は、感光材料２２上の水５８がスクイズされる。このスクイズは、図示を省略するローラで行なうようにしてもよいが、重合ユニット４２の重合に伴って、受像材料７８の剛性を利用して行なうことも可能である。その剛性が寄与して、受像材料７８と感光材料２２との間に高い密着性が得られる。
【００３３】
ステージ１２は上述したようにヒート板１８によって加熱されており、この加熱された状態で、上記露光、塗布、重合がなされ、塗布にあたっては水が加温される。すなわち、水５８がスポンジ５４から感光材料２２へ流出される過程で加熱されるとともに、流出された塗布後の水も加熱される。
【００３４】
また、ステージ１２の加熱によって、受像材料７８と感光材料２２とが重ね合わされた状態で熱現像転写が行われる。すなわち、感光材料２２の可動性の色素が放出され、同時に色素が受像材料７８の色素固定層に転写されて、受像材料７８に画像が得られる。
【００３５】
熱現像転写後、感光材料２２は矢印Ｄの向きに所定長さ分、移動して、受像材料７８と共に、ステージ１２の後端からステージ１２外へ退避する。
【００３６】
また、ステージ１２の前端より前方側には、基台１０に、駆動モータ９０が設けられている。駆動モータ９０は、歯車９２群、タイミングベルト９４を介して、露光ユニット３８、塗布ユニット４０、重合ユニット４２をそれぞれ移動させる。
【００３７】
次に、本形態に係る画像記録方法で、一枚づつ複写する場合を、図８のタイムチャートに基づき説明する。
【００３８】
まず、感光材料２２が搬送され（ＣＷ）、所定長さ、ステージ１２上に引き出されて保持される。
【００３９】
次に、露光ユニット３８が待機位置から行止位置側へ前進（ＣＷ）し、感光材料２２の画像領域４８（図９参照）に入ると、光源４４（ＬＥＤ）が光の照射を開始し（ＯＮ）、画像領域４８において光の照射を続け、原稿台３２の原稿３４の画像が感光材料２２に走査露光される。
【００４０】
露光ユニット３８が画像領域４８を過ぎて前領域５０に入ると、光源４４が光の照射を止める（ＯＦＦ）。それ以降は光源４４が光を照射せずに、露光ユニット３８は行止位置まで前進して、そこで停止する。
【００４１】
次に、露光ユニット３８が画像領域４８を過ぎて前領域５０に入り、光源４４が光の照射を止めると、塗布ユニット４０が前進（ＣＷ）を開始する。
【００４２】
塗布ユニット４０は当初、上昇位置にあり、感光材料２２と離間している。塗布ユニット４０がステージ１２上に入り、ステージ１２の後端側の傾斜部３１から水平部２８へ到り、後領域５１で（図３に示す）、一旦停止する。この停止した状態で、ソレノイド（ＳＬ）が作動して（ＤＯＷＮ）、タンク５２と共にスポンジ５４が下降して感光材料２２に接触する。
【００４３】
接触後に、塗布ユニット４０は前進を再開し、その接触状態で後領域５１から画像領域４８に入り、画像領域４８を移動（図９に示す）する。スポンジ５４が前領域５０に達すると、ソレノイドが作動して（ＵＰ）、スポンジ５４が感光材料２２から離れるようにタンク５２を上昇させる（図１０に示す）。その接触を止めるときは、その間も塗布ユニット４０は前進を続ける。その後、塗布ユニット４０は、行止位置まで移動して、そこで停止する。
【００４４】
このように、スポンジ５４の感光材料２２との接触開始、及び接触終了が画像領域４８以外で行なわれるので、画像領域４８では、安定した塗布が可能となる。また、スポンジ５４はステージ１２の水平部２８の範囲で、感光材料２２と接触するために、塗布された水５８が感光材料２２の前後側に流れて悪影響を及ぼさない。
【００４５】
次に、重合ユニット４２は、スポンジ５４が感光材料２２との接触のために塗布ユニット４０がその前進を一旦停止する時に、前進（ＣＷ）を開始する。これによって、水が塗布された感光材料２２に受像材料７８が重ね合わされる。重合が終了すると、重合ユニット４２は行止位置に至り、そこで停止する。
【００４６】
このとき、受像材料７８は、塗布ユニット４０によって塗布された水をスクイズしながら感光材料２２に重ね合わされる。
【００４７】
重合ユニット４２が行止位置で停止すると、その後、所定時間そのままとされ、熱現像転写が行われる。
【００４８】
熱現像転写後は、感光材料２２が、所定長さ、第２ローラ２４で引っ張られて搬送（ＣＷ）され、受像材料７８と共にステージ１２の後端からステージ１２の外へ退避する。
【００４９】
この退避に伴い、受像材料７８は、剥離ローラ８６で感光材料２２と剥離され、ステージ１２の後端より後方側にある剥離ローラ８６の上を通って、その剥離ローラ８６より更に後方にある排出トレイ８８内に集積される。一方、感光材料２２は、熱現像転写済みの部分が、上下を反転するようにして、ステージ１２の後端と第２ローラ２４との間に傾斜して位置する。
【００５０】
このため、熱現像転写済みの感光材料２２の塗布面が下を向き、水５８が感光材料２２に残ることなく落下する。後述する感光材料２２が巻き戻されて熱現像転写済みの部分がステージ１２上に戻ったときに、感光材料２２に水が残ることによる影響が回避される。
【００５１】
その後、露光ユニット３８、塗布ユニット４０、重合ユニット４２は、重合ユニット４２を先頭にして行止位置から待機位置へそれぞれ後退し（ＣＣＷ）、次の露光、塗布、重合に備える。
【００５２】
次に、感光材料２２を所定長さ、第１ローラ２０に巻き戻す。これにより、ステージ１２上には、既に露光されて熱現像転写済みの画像領域４８が位置する。このため、原稿台３２からの外光が及ぶようなことがあっても構わず、未露光の部分の感光材料２２の光かぶりが防止される。また、未露光の部分が熱の影響を受けない。
【００５３】
上記構成によれば、共通のステージ１２で、感光材料２２への露光、水５８の塗布、受像材料７８の感光材料２２との重合、熱現像転写が行われ、受像材料７８に画像が得られる。
【００５４】
このため、従来のように別個にステージを設ける必要がなく、装置が小型化される。すなわち、ステージ間の搬送手段、例えば、ローラ等が不要となって部品点数が削減され、製造コストが低廉化され、また、感光材料の搬送距離が短縮化されて処理速度が早まる。
【００５５】
更に、水５８の加熱及び熱現像転写に要する熱は、ステージ１２を加熱することによって得られる。このため、加熱手段を共用することができ、省電力化が果たされ、また、一層の装置の小型化が可能となる。
【００５６】
また、塗布ユニット４０の後側から重合ユニット４２が移動し、感光材料２２に順次受像材料７８が重ね合わされるので、水の塗布後のスクイズが可能となり、別途に、例えば、スクイズローラを転動させるような必要がなくなる。
【００５７】
また、上記形態では、重合ユニット４２が塗布ユニット４０と同期して移動し、塗布ユニット４０が塗布を行う一方、その後側で、重合ユニット４２が重合を行っているが、塗布ユニット４０、重合ユニット４２のそれぞれの移動開始時期は、それに限らない。例えば、露光ユニット３８が１画像分の露光を終了した後に、塗布ユニット４０が移動を開始し、塗布ユニット４０が１画像分の塗布を終了した後に、重合ユニット４２が移動を開始してよいのは勿論、塗布ユニット４０が、露光ユニット３８に同期して移動し、露光ユニット３８が露光を行う一方、その後側で、塗布ユニット４０が塗布を行うことも可能であり、あるいは、露光ユニット３８、塗布ユニット４０、重合ユニット４２のいずれも、それらを同期して移動させ、露光ユニット３８が露光を行う一方、その後側で、塗布ユニット４０が塗布を行い、塗布ユニット４０が塗布を行う一方、その後側で、重合ユニット４２が重合を行うようにしてもよい。
【００５８】
なお、塗布ユニット４０の移動開始時期は、上記時期に関わらず、露光ユニット３８の移動開始後において適宜自由である。また、重合ユニット４２の移動開始時期も、上記時期に関わらず、塗布ユニット４０の移動開始後において適宜自由である。
【００５９】
重合ユニット４２を塗布ユニット４０に同期して移動させる等、各ユニット３８、４０、４２を同時的に移動させることにより、処理時間の短縮化が果たされ、また、各ユニット３８、４０、４２の駆動原を共通化することができ、装置が小型化される。
【００６０】
また、上記形態では、原稿３４に光を線状的に照射して感光材料２２を走査露光しているが、それに限らず、原稿の全面に光を照射して感光材料を面露光することも可能である。更に、上記形態では、感光材料２２に露光される光が、原稿で反射された反射光であるが、それに限らず、原稿を透過する透過光であってもよい。すなわち、原稿は反射原稿であっても、透過原稿であってもよい。このように、原稿が反射原稿、透過原稿である場合、それは、いわゆるアナログ露光であるが、それに限らず、画像信号に基づき光ビームを感光材料を走査露光する、いわゆるディジタル露光であってもよい。
【００６１】
更に、上記形態では、感光材料２２がロール状に巻かれて、ステージ１２上に所定長さに引き出されて供給されるようになっているが、それに限らず、所定長さに切断されているカットシートでもよい。受像紙については、上記形態のようなカットシートのものに限らず、ロール状に巻かれて、所定長さ分毎に引き出されてその後に切断されるものでもよい。
【００６２】
また、感光材料２２に受像材料７８を重ね合わせる操作は、上記形態のような重合ユニット４０によらなくとも、手動による等、他の手段が可能である。感光材料２２と受像材料７８との剥離については、爪を利用してもよい。画像形成溶媒は、水５８に限らず、他の転写助剤であってもよく、画像形成溶媒を塗布するための塗布部は、スポンジに限らず、フェルト等のものでもよく、タンク内の水を吸収保持でき、感光材料２２と接触することにより水の流出を可能とするようなものであればよい。塗布についても、スポンジ５８を備えた塗布ユニット４０に限らず、ローラや、はけを用いることも可能である。
【００６３】
次に、待機を必要としない場合（連続複写の場合）を、図１１に示すタイムチャートを参照して説明する。
【００６４】
連続複写の場合は、先ず、未露光の感光材料２２がステージ１２の上に巻き出され、露光、塗布、重合、熱現像転写が行われる。次に、感光材料２２がさらに巻き出される。この巻き出しによって、露光済の感光材料２２は、ステージ１２の上から退避し、受像材料７８が剥離ローラ８６で感光材料２２から剥離される。同時に、ステージ１２の上には、未露光の感光材料２２が位置することになる。
【００６５】
ここで、一枚づつの複写の場合は、上述したように、感光材料２２を巻き戻して、ステージ１２の上に露光済の感光材料２２を位置させるが、連続複写の場合はカブリ等の問題がないので、感光材料２２を巻き戻すことなく、次の露光工程に移る。
【００６６】
このように、受像材料７８を剥離した後、露光、塗布、重合、熱現像転写を順次行うことで、連続複写の速度がアップする。
【００６７】
この熱現像感光材料は、基本的には支持体上に感光性ハロゲン化銀、還元剤、バインダー及び色素供与性化合物（還元剤が兼ねる場合もある）を有するものであり、更に必要に応じて有機金属塩酸化剤等を含有させることができる。
【００６８】
熱現像感光材料は露光に対してネガの画像を与えるものでも、ポジの画像を与えるものでもよい。ポジの画像を与える方式には、ハロゲン化銀乳剤として直接ポジ乳剤（造核剤を用いる方式、光かぶらせ方式の２種がある）を用いる方式、ポジ状に拡散性の色素像を放出する色素供与性化合物を用いる方式のいずれもが採用できる。
【００６９】
ポジの画像を与える方式の熱現像感光材料としては、例えば、特開平６−１６１０７０号公報、特開平６−２８９５５５号公報等に記載されたものが、また、ネガの画像を与える方式の熱現像感光材料としては、例えば、特開平５−１８１２４６号公報、特開平６−２４２５４６号公報等に記載されたものを用いることができる。
【００７０】
また、本発明における画像形成用溶媒としては、例えば水があり、この水は、いわゆる純水に限らず、広く一般的に使用されている意味での水を含む。また、純水とメタノール、ＤＭＦ、アセトン、ジイソブチルケトン等の低沸点溶媒との混合溶媒でもよい。更に、画像形成促進剤、カブリ防止剤、現像停止剤、親水性熱溶剤等を含有させた溶液でもよい。
【００７１】
【発明の効果】
本発明は、連続画像記録か一画像記録かによって、操作方法を変えることで、画像記録の処理時間が短縮できる。また、感光材料のかぶりを無くすことができる。
【図面の簡単な説明】
【図１】本発明の画像記録方法に用いられる画像記録装置を示す露光等の各ユニットの移動方向に沿って見た図である。
【図２】露光等が行われるステージの斜視図である。
【図３】ステージを、その前後方向に沿って見た図である。
【図４】露光等の各ユニットが行止位置にあるときの図１に対応する図である。
【図５】塗布ユニットを、この移動方向から見た縦断面図である。
【図６】ステージ上での重合ユニットによる感光材料への受像材料の重ね合わせ過程を示す図である。
【図７】ステージ外への感光材料と受像材料との排出にあたって、両者の剥離過程を示す図である。
【図８】１枚づつの複写の場合の露光等の各ユニットを含むそれらのタイムチャートを示す図である。
【図９】図３の後の塗布ユニットの塗布過程を示す図３に対応する図である。
【図１０】図９の後の塗布ユニットの塗布過程を示す図３に対応する図である。
【図１１】連続複写の場合の露光等の各ユニットを含むそれらのタイムチャートを示す図である。
【符号の説明】
１２  ステージ
１８  シート板（加熱手段）
２０  第１ローラ（感光材料送出し手段）
２２  感光材料
２４  第２ローラ（感光材料巻取り手段）
３２  原稿台
３４  原稿
３８  露光ユニット
４０  塗布ユニット
４２  重合ユニット
５８  水（画像形成用溶媒）
７８  受像材料
【図１】
0003571432.tif 000002
【図２】
0003571432.tif 000003
【図３】
0003571432.tif 000004
【図４】
0003571432.tif 000005
【図５】
0003571432.tif 000006
【図６】
0003571432.tif 000007
【図７】
0003571432.tif 000008
【図８】
0003571432.tif 000009
【図９】
0003571432.tif 000010
【図１０】
0003571432.tif 000011
【図１１】
0003571432.tif 000012